(57)【要約】【課題】ネットワークプリンターやローカルプリンターに連結された複数個の互いに異なる機種の全てのプリンターのトナーを総括的に管理し、印刷出力される内容要素をテキスト、イメージ、グラフィックなどに区分し、各要素に対して多様なトナー節減機能を提供するプリンタートナー節減システムを提供する。【解決手段】ネットワークプリンターやローカルプリンター、クライアントコンピュータ及びサーバーがネットワークで連結構成されたプリンタートナー節減システムにおいて、クライアントコンピュータに搭載されたプリンティングフレームワーク制御モジュールは、オペレーティングシステムのプリンティングフレームワークを制御するもので、保存されているトナー節減アルゴリズムに基づいて印刷出力を制御し、サーバーは、クライアントコンピュータにトナー節減アルゴリズムを伝送して保存させることを特徴とするプリンタートナー節減システムを構成する。【選択図】図２
2010067249.tif 000002
【特許請求の範囲】
【請求項１】
プリンター、クライアントコンピュータ及びサーバーがネットワークで連結構成されたプリンタートナー節減システムにおいて、
クライアントコンピュータに搭載されたプリンティングフレームワーク制御モジュールは、オペレーティングシステムのプリンティングフレームワークを制御するもので、クライアントコンピュータに備わる記憶手段に予め記憶されているトナー節減をするためのトナー節減アルゴリズムに基づいて印刷出力を制御し、
サーバーは、クライアントコンピュータにトナー節減アルゴリズムを伝送して前記記憶手段に記憶させることを特徴とするプリンタートナー節減システム。
【請求項２】
前記トナー節減アルゴリズムは、印刷出力される文書の内容によって節減率が設定されているもので、テキスト、イメージ、およびグラフィックの三つの要素別に同一または互いに異なるトナー節減率が設定されていることを特徴とする請求項１に記載のプリンタートナー節減システム。
【請求項３】
前記トナー節減アルゴリズムは、クライアントコンピュータに搭載されている応用ソフトウェアの種類またはプリンタードライバーによって節減率が同一にまたは互いに異なるように設定されていることを特徴とする請求項１に記載のプリンタートナー節減システム。
【請求項４】
前記トナー節減アルゴリズムは、前記プリンターが白黒プリンターであるかまたはカラープリンターであるかによって節減率が同一にまたは互いに異なるように設定されていることを特徴とする請求項１に記載のプリンタートナー節減システム。
【請求項５】
前記サーバーは、クライアントコンピュータ別に出力情報及びトナー節減アルゴリズムの適用現状を見ることができるとともに、クライアントコンピュータ別にトナー節減アルゴリズムを設定することができる管理者画面を提供することを特徴とする請求項２乃至請求項４のうち何れか１項に記載のプリンタートナー節減システム。
【請求項６】
前記出力情報は、印刷出力時間、コンピュータ名、ＩＰアドレス、またはウィンドウログインＩＤを含むことを特徴とする請求項５に記載のプリンタートナー節減システム。
【請求項７】
プリンター、クライアントコンピュータ及びサーバーがネットワークで連結構成されたプリンタートナー節減システムにおいて、
クライアントコンピュータに搭載されたプリンティングフレームワーク制御モジュールは、オペレーティングシステムのプリンティングフレームワークを制御し、ウォーターマークアイテム挿入機能及びプリンタートナー節減機能を実現させ、
クライアントコンピュータに備わる記憶手段に予め記憶されているウォーターマークプロファイルに基づいて出力ページ別にウォーターマークアイテムを挿入し、文書がヒューレット・パッカードグラフィックス言語（ＨＰＧＬ）ドライバーを用いて出力される場合には、出力原本にベクターイメージを挿入し、文書がポストスクリプトドライバーを用いて出力される場合には、ポストスクリプト言語にイメージを直接伝達して透明なウォーターマークを挿入し、
クライアントコンピュータに備わる記憶手段に予め記憶されているトナー節減をするためのトナー節減アルゴリズムに基づいて印刷出力を制御し、
サーバーは、クライアントコンピュータにウォーターマークプロファイル及びトナー節減アルゴリズムを伝送して前記記憶手段に記憶させることを特徴とするプリンタートナー節減システム。
【発明の詳細な説明】
【技術分野】
【０００１】
本発明は、ネットワークプリンターやローカルプリンターに連結された全てのプリンターのトナーを総括的に管理するプリンタートナー節減システムに関するもので、複数個の互いに異なる機種のプリンターのトナーを総括的に節減できるプリンタートナー節減システムに関するものである。
また、本発明は、印刷出力される内容要素をテキスト、イメージ、グラフィックなどに区分し、各要素に対して多様なトナー節減機能を提供するプリンタートナー節減システムに関するものである。
また、本発明は、応用ソフトウェア及びプリンターの機種によって多様なトナー節減機能を提供するプリンタートナー節減システムに関するものである。
また、本発明は、ネットワークプリンターやローカルプリンターに連結された全てのプリンターの出力物監視／追跡のためのモニタリング機能との連係運用が可能なプリンタートナー節減システムに関するものである。
【背景技術】
【０００２】
一般的に、プリンターの消耗品であるトナー及びインクは、ほとんどが高価であるので、企業の支出の相当部分を占めている。
【０００３】
したがって、ＬＡＮなどのイントラネットワーク環境やローカルプリンター環境で、複数個のプリンターを使用して大量で印刷出力を行う企業の立場では、総括的なトナー節減対策が切実である。
【０００４】
一方、近来には、企業の情報流出が非常に深刻な社会問題として台頭しており、これによって、各企業では、企業の秘密情報の流出を防止するために多様な保安システムを実行している。
【０００５】
このような保安システムの焦点の一つは、企業のイントラネットワークプリンターやローカルプリンターに連結された全てのプリンターで出力された出力物の印刷経路を追跡することであり、プリンターの総括制御という側面では、全てのプリンターのトナー節減に対する必要性との共通点を有する。
【０００６】
したがって、出力物の監視／追跡のための保安システムとトナー節減システムとの連係運用に対する対策が必要である。
【０００７】
以下、トナー節減及び出力物の監視／追跡に対する従来技術の接近法と問題点を記述する。
【０００８】
まず、特許文献１は、プリンターの印刷節約モードを設定することに関するもので、プリンターの操作パネルで設定された印刷節約モードをホストコンピューターで設定された印刷節約モードより優先視することを特徴としている。
【０００９】
上記の特許文献１は、トナーを目標節減率だけ強制的に節減するという側面で肯定的であるが、印刷する文書にグラフィックまたはイメージが含まれている場合には、判読しにくい程度の印刷品質悪化をもたらすという問題点がある。
【００１０】
また、企業のイントラネットワークプリンターやローカルプリンターに連結された複数個の互いに異なる機種のプリンターのトナーの総括的な節減に対する問題意識が欠如している。
【００１１】
一方、特許文献２は、印刷するデータのトナー使用量をページ単位で知らせることに関するもので、ページの分析によってグラフィック／イメージ／画像にデータ種類を分けるとともに、トナー使用量を一緒に表示することで、使用者が直接トナー使用量を決定できるようにすることを特徴とする。
【００１２】
上記の特許文献２は、印刷するページの種類をグラフィック／イメージ／画像に分析し、印刷品質悪化を防止したという点では肯定的であるが、パワーポイントまたはワードなどの応用ソフトウェア単位でトナー使用量を制御したり、プリンターの機種別にトナー使用量を調節するなどの多様な節減機能を提供できないという問題点がある。
【００１３】
さらに、上記の特許文献２のトナー節減対策においても、企業のイントラネットワークプリンターやローカルプリンターに連結された複数個の互いに異なる機種のプリンターのトナーの総括的な制御に対する問題意識が欠如している。
【００１４】
一方、特許文献３（本出願人が出願した。発明の名称：プリンター出力物モニタリングシステム）は、企業のイントラネットワークプリンターやローカルプリンターなどの企業内部の全てのプリンターで出力された出力物の印刷経路を追跡することに関するものである。
【００１５】
上記の特許文献３は、オペレーティングシステムのプリンティングフレームワーク制御基盤の出力物管理システムとして、サーバーの管理者ツールで全てのプリンターの出力物管理が可能であることはもちろんで、ＰＳ（Ｐｏｓｔ  Ｓｃｒｉｐｔ）及びＨＰＧＬ（Ｈｅｗｌｅｔｔ−Ｐａｃｋａｒｄ  Ｇｒａｐｈｉｃｓ  Ｌａｎｇｕａｇｅ）言語にウォーターマークを直接挿入できるなどの長所を有している。
【００１６】
しかしながら、上記の特許文献３においては、プリンターのトナー節減技術との連係運用に対する対策が欠如しており、これに対する総合的なソリューションが必要である。
【特許文献１】大韓民国特許出願番号２００４-００７６９０５号
【特許文献２】大韓民国特許出願番号２００２-００８４０８１号
【特許文献３】大韓民国特許出願番号２００７-００４６６７３号
【発明の開示】
【発明が解決しようとする課題】
【００１７】
本発明の目的は、ネットワークプリンターやローカルプリンターに連結された複数個の互いに異なる機種の全てのプリンターのトナーを総括的に管理し、印刷出力される内容要素をテキスト、イメージ、グラフィックなどに区分し、各要素に対して多様なトナー節減機能を提供するプリンタートナー節減システムを提供することにある。
また、本発明の目的は、応用ソフトウェア及びプリンターの機種によって多様なトナー節減機能を有するプリンタートナー節減システムを提供することにある。
また、本発明の目的は、ネットワークプリンターやローカルプリンターに連結された複数個の互いに異なる機種の全てのプリンターのトナーを総括的に管理し、プリンターの出力物監視／追跡のためのモニタリング機能との連係運用が可能なプリンタートナー節減システムを提供することにある。
【課題を解決するための手段】
【００１８】
上記の技術的課題を達成するために、本発明に係るプリンタートナー節減システムは、プリンター、クライアントコンピュータ及びサーバーがネットワークで連結構成されたプリンタートナー節減システムにおいて、クライアントコンピュータに搭載されたプリンティングフレームワーク制御モジュールは、オペレーティングシステムのプリンティングフレームワークを制御するもので、クライアントコンピュータに備わる記憶手段に予め記憶されているトナー節減をするためのトナー節減アルゴリズムに基づいて印刷出力を制御し、サーバーは、クライアントコンピュータにトナー節減アルゴリズムを伝送して前記記憶手段に記憶させることを特徴とする。
プリンターは、ネットワークプリンター、ローカルプリンター等であってよい。
【００１９】
上記の技術的課題を達成するために、本発明に係るプリンタートナー節減システムは、プリンター、クライアントコンピュータ及びサーバーがネットワークで連結構成されたプリンタートナー節減システムにおいて、クライアントコンピュータに搭載されたプリンティングフレームワーク制御モジュールは、オペレーティングシステムのプリンティングフレームワークを制御し、ウォーターマークアイテム挿入機能及びプリンタートナー節減機能を実現させ、クライアントコンピュータに備わる記憶手段に予め記憶されているウォーターマークプロファイルに基づいて出力ページ別にウォーターマークアイテムを挿入し、文書がヒューレット・パッカードグラフィックス言語（ＨＰＧＬ）ドライバーを用いて出力される場合には、出力原本にベクターイメージを挿入し、文書がポストスクリプトドライバーを用いて出力される場合には、ポストスクリプト言語にイメージを直接伝達して透明なウォーターマークを挿入し、クライアントコンピュータに備わる記憶手段に予め記憶されているトナー節減をするためのトナー節減アルゴリズムに基づいて印刷出力を制御し、サーバーは、クライアントコンピュータにウォーターマークプロファイル及びトナー節減アルゴリズムを伝送して前記記憶手段に記憶させることを特徴とする。
ウォーターマークアイテムは、イメージ（会社ロゴ）、テキスト（著作権情報）等であってよい。
【発明の効果】
【００２０】
本発明に係るプリンタートナー節減システムは、ネットワークプリンターやローカルプリンターに連結された複数個の互いに異なる機種の全てのプリンターのトナーを総括的に節減管理することができる。
【００２１】
本発明に係るプリンタートナー節減システムは、印刷出力される内容要素をテキスト、イメージ、グラフィックなどに区分し、各要素に対して多様なトナー節減機能を提供することで、使用者の便宜によって印刷品質を維持することができる。
本発明に係るプリンタートナー節減システムは、応用ソフトウェア及びプリンターの機種によって多様なトナー節減機能を提供することで、より効率的にトナーを節減することができる。
【００２２】
本発明に係るプリンタートナー節減システムは、ネットワークプリンターやローカルプリンターに連結された全てのプリンターの出力物監視／追跡のためのモニタリング機能との連係運用によって、中央管理的に企業の保安を強化することはもちろんで、トナーを節減することができる。
【発明を実施するための最良の形態】
【００２３】
以下、本発明を図面に基づいて説明する前に、本発明の要旨を表すのに不必要な事項、すなわち、通常の知識を有する当業者が自明に付加可能な公知構成に対しては、図示または具体的に記述していないことを明らかにする。
【００２４】
図１は、本発明の一実施例に係るプリンタートナー節減システムのネットワーク構成図である。
【００２５】
クライアントコンピュータ１００には、オペレーティングシステムのプリンティングフレームワーク制御モジュールが搭載される。
【００２６】
このプリンティングフレームワーク制御モジュールは、クライアントコンピュータ１００オペレーティングシステムのプリンティングフレームワークを制御するものであり、特定のプリンター製造社、特定のプリンター機種、特定のプリンター言語（ＰＣＬ、ＰＳなど）及び特定の応用ソフトウェアなどに限定されず、全てのプリンター製造社、機種、言語及び応用ソフトウェアなどに適用される。
【００２７】
すなわち、クライアントコンピュータ１００のブーティングによってオペレーティングシステムが駆動されるとともに、プリンティングフレームワーク制御モジュール（ｄｌｌファイルなど）が駆動されるので、クライアントコンピュータ１００のプリント命令を常に感知できることはもちろんで、特定のプリンタードライバーまたはプログラムより優先的に出力を制御できるようになる。
【００２８】
プリンティングフレームワーク制御モジュールは、サーバー２００側の各モジュールと連係動作しながら、サーバー２００のトナー節減アルゴリズムに基づいて動作するようになる。
【００２９】
すなわち、プリンティングフレームワーク制御モジュールは、サーバー２００から節減アルゴリズムを受信し、プリントコンポーネントの分析、節減アルゴリズムの適用、出力情報の抽出及び出力ログ伝送などの機能を実現することで、クライアントの出力を総括的に制御するモジュールである。
【００３０】
好ましくは、プリンティングフレームワーク制御モジュールは、サーバー２００から自動設置されることはもちろんで、必要によっては、サーバー２００によってアップグレードされるように構成される。
【００３１】
サーバー２００には、アルゴリズムサービスモジュール、管理者サービスモジュール及びログサービスモジュールなどが搭載される。
【００３２】
サーバー２００の各モジュールは、クライアントコンピュータ１００へのトナー節減アルゴリズム伝送、トナー節減アルゴリズムの管理及びデータベース３００の運用などの機能を実現する。
【００３３】
以下、各モジュールの具体的な機能に対して図２乃至図４を参照して説明する。
【００３４】
図２は、本発明の一実施例に係るプリンタートナー節減システムの主要構成ブロック図で、図３は、本発明の一実施例に係る管理者認証画面の一例で、図４は、本発明の一実施例に係る出力情報提供画面の一例である。
【００３５】
クライアントコンピュータ１００に搭載されるプリンティングフレームワーク制御モジュールは、節減アルゴリズム受信モジュール、プリントコンポーネント分析モジュール、プリントデータ生成モジュール、出力情報抽出モジュール及び出力情報／節減アルゴリズム適用現況ログ伝送モジュールなどで構成される。
【００３６】
節減アルゴリズム受信モジュールは、クライアントコンピュータ１００内の使用者認証を担当し、クライアント別トナー／インク節減アルゴリズムをサーバー２００から受信し、これをクライアントに保存する機能を実現する。
【００３７】
好ましくは、クライアントコンピュータ１００でプリントを命令するとき、節減アルゴリズム受信モジュールの動作で別途の使用者認証画面が実行されたり、または、使用者認証画面なしに、ブーティング過程で入力されたウィンドウ暗号などを使用して画面に表示されない状態で内部的に認証が行われるように設計される。
【００３８】
好ましくは、節減アルゴリズムは、トナーの節減率単位で設定されるが、具体的に、１〜９９％まで１％単位で調節が可能になるように設計される。
【００３９】
好ましくは、トナー節減率は、テキスト／イメージ／グラフィックなどの三つの出力要素に対して同一にまたはそれぞれ異なるように設定される。これは、出力される要素のうちイメージやグラフィックに対して最上の印刷品質を要求するが、テキストに対しては単純に判読可能な程度の印刷品質を要求する場合などのように、多様な節減アルゴリズムに対応するためである。
【００４０】
好ましくは、節減アルゴリズムは、応用ソフトウェア単位で設定される。例えば、イメージが多く含まれるパワーポイントなどの応用ソフトウェアの文書に対してはトナー節減機能を使用し、テキストが多く含まれるワードなどの応用ソフトウェアの文書に対してはトナー節減機能を使用しないなどの設定が可能になるように設計される。
【００４１】
好ましくは、節減アルゴリズムは、プリンタードライバー別に設定される。これは、プリンティングフレームワーク制御モジュールがクライアントコンピュータ１００の特定のプリンタードライバーまたはプログラムより優先的に出力を制御できるという点に基づいている。
【００４２】
好ましくは、節減アルゴリズムは、プリンターの機種、すなわち、白黒／カラープリンターに対しても区分して設定される。例えば、トナーの価格が非常に高価であるカラープリンターに対しては高い水準の節減率を適用し、一般的な白黒プリンターに対しては低い水準の節減率を適用するように設計される。
【００４３】
プリントコンポーネント分析モジュールは、出力内容をテキスト／イメージ／グラフィックなどの三つの要素に分離して分析する機能を実現する。
【００４４】
コンポーネント別アルゴリズム適用モジュールは、サーバー２００から受信されて保存されている節減アルゴリズムをローディングし、各要素別に設定されたアルゴリズムによってトナー／インク節減機能を実現する。
【００４５】
好ましくは、コンポーネント別アルゴリズム適用モジュールは、テキストコンポーネント節減モジュール、イメージコンポーネント節減モジュール、グラフィックコンポーネント節減モジュールなどが含まれるように設計される。
【００４６】
プリントデータ生成モジュールは、節減アルゴリズムを適用した出力要素を印刷可能なフォーマットに再構成する機能を実現する。
【００４７】
出力情報抽出モジュールは、出力に対する一般的な情報を抽出するが、このとき、抽出される出力情報は、印刷時間、ＰＣ名、ＩＰアドレス、ウィンドウアカウント、プリンターモデル名、プリントページ数、出力文書名などである。
【００４８】
出力情報／節減アルゴリズム適用現状ログ伝送モジュールは、文書を出力するときに抽出された情報及び適用された節減アルゴリズムなどをサーバー２００側のログサービスモジュールに伝送する機能を実現する。
【００４９】
サーバー２００には、アルゴリズムサービスモジュール、管理者サービスモジュール及びログサービスモジュールなどが搭載される。
【００５０】
アルゴリズムサービスモジュールは、節減アルゴリズム受信モジュールの認証要請によって認証を行い、使用者に指定されたトナー／インク節減アルゴリズムをクライアントに伝送する機能を実現する。
管理者サービスモジュールは、クライアント管理、クライアント別／出力要素別節減アルゴリズムを管理し、ログ照会などのサービスを提供する機能を実現する。
【００５１】
図３は、管理者サービスモジュールで提供される管理者認証画面の一例を示している。管理者は、所定のＩＤとパスワードを用いてクライアント別／出力要素別節減アルゴリズムを管理する画面に接近することができる。
【００５２】
図４は、管理者のみが接近可能な出力情報提供画面の一例を示している。クライアントコンピュータ１００で文書を出力するときに抽出した一般的な出力情報（図示）及び節減アルゴリズム適用現況（図示せず）が一緒にディスプレイされ、管理者が一般的な出力情報を管理できることはもちろんで、クライアント別／出力要素別節減アルゴリズムを設定できるようにする。
【００５３】
好ましくは、管理者によって設定された節減アルゴリズムは、使用者が任意に変更することが不可能であるが、必要によっては、使用者が調節できるように柔軟に設計することもできる。
【００５４】
好ましくは、管理者サービスモジュールは、内部のネットワークに制限されず、遠隔地でインターネットなどの外部ネットワークを用いてサーバー２００に接近し、上記のような結果を得るように設計されることも可能である。
【００５５】
ログサービスモジュールは、文書出力時にクライアントから伝送された出力情報及び節減アルゴリズム適用現状をデータベース３００に保存する機能を実現する。
図５は、本発明の他の実施例に係るプリンタートナー節減システムの主要構成ブロック図である。図１乃至図４に基づいて既に説明した内容に対しては、重複的に説明しないことを明らかにする。
【００５６】
図５に示したプリンティングフレームワーク制御モジュールには、本出願人が既に出願した大韓民国特許出願番号２００７-００４６６７３号のプリンター出力物モニタリングシステムの主要構成であるウォーターマークプロファイル管理モジュール、ウォーターマーク生成モジュール及び出力イメージ抽出モジュールなどが上述した各トナー節減モジュールと連係駆動されるように追加されている。
【００５７】
前記プリンター出力物モニタリングシステムも、オペレーティングシステムのプリンティングフレームワーク制御に基づいたシステムであるので、上述したトナー節減システムとの連係駆動が可能であることはもちろんである。
【００５８】
以下、追加された各モジュールの機能に対して簡略に説明するが、より具体的な事項は、上記の大韓民国特許出願番号２００７-００４６６７３号に基づいていることを明らかにする。
【００５９】
ログインエージェントモジュールは、クライアントコンピュータ１００内の使用者認証を担当し、使用者別ウォーターマークプロファイル及び使用者別トナー／インク節減アルゴリズムを受けて、これをクライアントに保存する機能を実現する。
【００６０】
節減アルゴリズムに対する各機能は、各トナー節減関連モジュールで行われ、以下では、これに対して重複的に説明しないことを明らかにする。
【００６１】
ウォーターマークプロファイル管理モジュールは、保存されている使用者別ウォーターマークプロファイルをローディングし、これを適用する機能を実現する。
【００６２】
ウォーターマーク生成モジュールは、出力ページ別出力物にウォーターマークプロファイルに指定された各ウォーターマークアイテムを挿入する機能を実現する。
【００６３】
好ましくは、各ウォーターマークアイテムは、会社ロゴ（イメージ）及び／または著作権情報（テキスト情報）などであり、ＨＰＧＬ（Ｈｅｗｌｅｔｔ−Ｐａｃｋａｒｄ  Ｇｒａｐｈｉｃｓ  Ｌａｎｇｕａｇｅ）ドライバーまたはポストスクリプト（Ｐｏｓｔ  Ｓｃｒｉｐｔ）ドライバーを使用する場合によって挿入方法が異なるように設計される。
【００６４】
すなわち、ウォーターマーク生成モジュールは、文書の出力の開始時点から終了時点まで各ページごとに各ウォーターマークアイテムを挿入し、文書がＨＰＧＬドライバーを用いて出力される場合には、出力原本にベクターイメージを挿入する方式でウォーターマークを挿入し、文書がポストスクリプトドライバーを用いて出力される場合には、ポストスクリプト言語にイメージを直接伝達し、透明なウォーターマークを挿入するように設計される。
【００６５】
出力イメージ抽出モジュールは、出力ページ別にイメージに変換して保存し、各出力ページをＥＭＦ（Ｅｎｈａｎｃｅｄ  Ｍｅｔａ  Ｆｉｌｅ）フォーマットやＰＤＦファイルフォーマット形態に変換して保存する。
【００６６】
好ましくは、出力情報、出力イメージ及び節減アルゴリズム適用現況などがサーバー２００に伝送され、これに対して管理者画面で確認したり、ウォーターマーク及びトナー節減と関連するアルゴリズムを設定できるように設計される。
【００６７】
好ましくは、トナー節減のための各モジュール及び出力物モニタリングのための各モジュールは、既に説明した固有の機能を実現して、相互連係駆動のために共通機能を統合または分離するなどのように、各モジュールの機能が修正されて設計される。
【００６８】
一方、図１乃至図５に基づいて説明した内容は、本発明の主要事項のみを説明したもので、その技術的範囲内で多様な設計が可能である。したがって、本発明は、図１乃至図５の構成に限定されるものでないことが自明である。
【００６９】
また、上述した本発明の各実施例は、企業のイントラネットワークプリンターやローカルプリンターで適用可能であることはもちろんで、部分的にまたは全体的にインターネットなどの外部ネットワークとの連係設計が可能である。
【図面の簡単な説明】
【００７０】
【図１】本発明の一実施例に係るプリンタートナー節減システムのネットワーク構成図である。
【図２】本発明の一実施例に係るプリンタートナー節減システムの主要構成ブロック図である。
【図３】本発明の一実施例に係る管理者認証画面の一例である。
【図４】本発明の一実施例に係る出力情報提供画面の一例である。
【図５】本発明の他の実施例に係るプリンタートナー節減システムの主要構成ブロック図である。
【図１】
2010067249.tif 000003
【図２】
2010067249.tif 000004
【図５】
2010067249.tif 000005
【図３】
2010067249.tif 000006
【図４】
2010067249.tif 000007